(57)【要約】【課題】Ａ／Ｔ検査装置の振動又は騒音の測定機能を総合的に診断できる診断方法及び診断システムを提供すること。【解決手段】被測定物８０から生じる振動又は騒音を採取して採取信号Ｄ１として出力するセンサ部７１と，採取信号Ｄ１に演算処理を加えて出力信号Ｄ２を出力する演算部７２とを有するＡ／Ｔ検査装置７における，振動又は騒音の測定機能を診断する診断方法である。疑似信号を，センサ部７１によって採取させ，演算部７２に送られる採取信号Ｄ１と同じ信号をセンサ生信号Ｄ０として分岐して採取し，センサ生信号Ｄ０とセンサ生信号理論値とを比較して，センサ生信号Ｄ０が正常か否かを判断するセンサ部診断ステップを行うと共に，演算部７２から出力される出力信号Ｄ２を採取し，出力信号Ｄ２と出力信号理論値とを比較して，出力信号Ｄ２が正常か否かを判断する演算部診断ステップを行う。【選択図】  図１
2004279034.tif 000002
【特許請求の範囲】
【請求項１】
回転駆動手段によって被測定物としてのＡ／Ｔを回転させ，該被測定物から生じる振動又は騒音を採取して振動波形又は音圧波形の採取信号として出力するセンサ部と，該センサ部から受けた上記採取信号に演算処理を加えて所望の形態の出力信号を出力する演算部とを有するＡ／Ｔ検査装置における，振動又は騒音の測定機能を診断する診断方法であって，
擬似的な振動又は騒音である疑似信号を，上記センサ部によって採取させ，該センサ部から上記演算部に送られる採取信号と同じ信号をセンサ生信号として分岐して採取し，該センサ生信号と上記疑似信号に基づく理論値であるセンサ生信号理論値とを比較して，上記センサ生信号が正常か否かを判断するセンサ部診断ステップを行うと共に，
上記演算部から出力される出力信号を採取し，該出力信号と上記疑似信号に基づく理論値である出力信号理論値とを比較して，上記出力信号が正常か否かを判断する演算部診断ステップを行うことを特徴とするＡ／Ｔ検査装置の診断方法。
【請求項２】
請求項１において，上記Ａ／Ｔ検査装置は，所定のパターンで上記被測定物の回転数を変化させながら運転させ，
上記疑似信号としては，上記被測定物の回転数が予め定めた値になるごとに予め定めた特定の疑似信号を用い，
上記センサ部診断ステップ及び上記演算部診断ステップにおける上記センサ生信号理論値及び上記出力信号理論値としては，上記回転数に応じて予め定めた特定の値を用いることを特徴とするＡ／Ｔ検査装置の診断方法。
【請求項３】
回転駆動手段によって被測定物としてのＡ／Ｔを回転させ，該被測定物から生じる振動又は騒音を採取して振動波形又は音圧波形の採取信号として出力するセンサ部と，該センサ部から受けた上記採取信号に演算処理を加えて所望の形態の出力信号を出力する演算部とを有するＡ／Ｔ検査装置における，振動又は騒音の測定機能を診断する診断システムであって，
擬似的な振動又は騒音である疑似信号を発する疑似出力装置と，該疑似出力装置及び上記Ａ／Ｔ検査装置に電気的に接続された診断用コンピュータとを有してなり，
該診断用コンピュータは，上記疑似出力装置から生成される上記疑似信号を採取するように配設された上記センサ部から上記演算部に送られる採取信号と同じ信号をセンサ生信号として分岐して受信可能であると共に，上記演算部からの出力信号を受信可能に構成されており，
上記センサ部から受信した上記センサ生信号と，上記疑似信号に基づく理論値であるセンサ生信号理論値とを比較して，上記センサ生信号が正常か否かを判断するセンサ部診断手段と，
上記演算部から受信した上記出力信号と，上記疑似信号に基づく理論値である出力信号理論値とを比較して，上記出力信号が正常か否かを判断する演算部診断手段とを有していることを特徴とするＡ／Ｔ検査装置の診断システム。
【請求項４】
請求項３において，上記Ａ／Ｔ検査装置は，所定のパターンで上記被測定物の回転数を変化させながら運転するよう構成されており，
上記疑似出力装置および上記診断用コンピュータは，それぞれ上記Ａ／Ｔ検査装置における上記被測定物の回転数を受信可能に構成されており，
上記疑似出力装置は，受信した上記回転数に応じて予め定めた疑似信号を発するように構成されており，
上記診断用コンピュータは，上記センサ生信号理論値及び上記出力信号理論値として，受信した上記回転数が予め定めた特定の値になるごとに予め定めた特定の値を用いて，それぞれ上記センサ部診断手段及び上記演算部診断手段を実行するように構成されていることを特徴とするＡ／Ｔ検査装置の診断システム。
【請求項５】
請求項４において，上記診断用コンピュータは，上記Ａ／Ｔ検査装置および上記疑似出力装置に診断を開始する開始信号を発信する開始信号発振手段を有しており，
上記Ａ／Ｔ検査装置は，上記診断用コンピュータからの上記開始信号を受信した後に，所定パターンで上記被測定物の回転数の変更を開始するよう構成されており，
上記疑似出力装置は，上記診断用コンピュータからの上記開始信号を受信した後に，上記回転数の変化に応じて予め定めたパターンで上記疑似信号を変更して発するように構成されていることを特徴とするＡ／Ｔ検査装置の診断システム。
【請求項６】
請求項１〜３のいずれか１項において，上記演算部は，上記センサ部から受けた上記採取信号の周波数分析を行うＦＦＴアナライザと，該ＦＦＴアナライザの分析結果をそのまま又は演算処理して出力する処理コンピュータとを有することを特徴とするＡ／Ｔ検査装置の診断システム。
【請求項７】
回転駆動手段によって被測定物としてのＡ／Ｔを回転させ，該被測定物から生じる振動又は騒音を採取して振動波形又は音圧波形の採取信号として出力するセンサ部と，該センサ部から受けた上記採取信号に演算処理を加えて所望の形態の出力信号を出力する演算部とを有するＡ／Ｔ検査装置を用いて行うＡ／Ｔ検査方法であって，
上記センサ部を複数用い，上記被測定物からの上記採取信号を上記演算部に入力すると共に，上記回転駆動手段から生じる振動又は騒音を採取して振動波形又は音圧波形よりなる補正用信号を上記演算部に入力し，
該演算部においては，上記採取信号から上記補正用信号の成分を除去するキャンセリング処理を行うことを特徴とするＡ／Ｔ検査方法。
【発明の詳細な説明】
【０００１】
【技術分野】
本発明は，Ａ／Ｔ（オートマチックトランスミッション）検査装置の診断方法及び診断システム，並びに上記Ａ／Ｔ検査装置の検査精度を向上させるための技術に関する。
【０００２】
【従来技術】
自動車用のＡ／Ｔの製品検査の一つとして，Ａ／Ｔを回転駆動させながらその振動又は騒音の測定を行う検査がある。この検査においては，その測定精度が低ければ，正常な製品を不合格とするような不具合が生じるおそれがある。そのため，検査に用いる検査装置の機能を常に正常に維持することが重要である。また，検査方法そのものを改善して検査精度を向上させることも重要である。
【０００３】
なお，従来の診断方法の例としては，例えば次の特許文献１がある。
【０００４】
【特許文献１】
特開２００１−２１４５３号公報
【０００５】
【解決しようとする課題】
Ａ／Ｔ検査装置の機能を維持するには，その機能が正常か否かを診断することが必要である。従来においては，Ａ／Ｔ検査装置を構成する個々の機能が正常か否かの診断を個別に行っていたが，総合的で十分な診断ができているとは言えなかった。
【０００６】
また，従来の検査装置におけるＡ／Ｔの振動又は騒音の測定結果には，Ａ／Ｔそのものの真の振動又は騒音以外に，他の設備の影響による，いわば偽の振動や騒音が含まれることがある。従来，偽の振動や騒音の影響を低下させるため，例えば，Ａ／Ｔに設ける測定点の数を増やすことが行われてきた。しかしながら，この測定点の増加は，偽の振動や騒音が大きい場合にはあまり有効でない。
【０００７】
本発明は，かかる従来の問題点に鑑みてなされたもので，Ａ／Ｔ検査装置の振動又は騒音の測定機能を総合的に診断できる診断方法及び診断システムを提供すると共に，これまで以上に精度の高い測定結果が得られるＡ／Ｔ検査方法を提供しようとするものである。
【０００８】
【課題の解決手段】
第１の発明は，回転駆動手段によって被測定物としてのＡ／Ｔを回転させ，該被測定物から生じる振動又は騒音を採取して振動波形又は音圧波形の採取信号として出力するセンサ部と，該センサ部から受けた上記採取信号に演算処理を加えて所望の形態の出力信号を出力する演算部とを有するＡ／Ｔ検査装置における，振動又は騒音の測定機能を診断する診断方法であって，
擬似的な振動又は騒音である疑似信号を，上記センサ部によって採取させ，該センサ部から上記演算部に送られる採取信号と同じ信号をセンサ生信号として分岐して採取し，該センサ生信号と上記疑似信号に基づく理論値であるセンサ生信号理論値とを比較して，上記センサ生信号が正常か否かを判断するセンサ部診断ステップを行うと共に，
上記演算部から出力される出力信号を採取し，該出力信号と上記疑似信号に基づく理論値である出力信号理論値とを比較して，上記出力信号が正常か否かを判断する演算部診断ステップを行うことを特徴とするＡ／Ｔ検査装置の診断方法にある（請求項１）。
【０００９】
本発明においては，上記のごとく，模擬信号を用いて上記センサ部診断ステップと，演算部診断ステップとを行う。これにより，上記Ａ／Ｔ検査装置におけるデータの流れの入口部分の診断及び入口から出口までの全体の診断の両方を行うことができる。そのため，総合的で非常に有意義な診断結果を得ることができる。
【００１０】
即ち，上記センサ部診断ステップにおいては，現在発せられている疑似信号が上記センサ部を通って出力された採取信号と同じ信号であるセンサ生信号をパラレルに採取する。そして，正常な上記センサ部が上記疑似信号を採取して出力した場合の理論値をセンサ生信号理論値として用い，これと上記センサ生信号とを比較する。そして，その比較結果により，上記センサ生信号が正常か否かを判断する。これにより，データの流れの入口である上記センサ部の機能が正常か否かを判断できる。
【００１１】
また，上記演算部診断ステップにおいては，現在発せられている疑似信号を，上記センサ部から上記演算部を通過させて出力信号として出力させる。そして，上記疑似信号を正常な上記センサ部及び正常な演算部を通過させて正常に出力させた場合の理論値を出力信号理論値として用い，これと上記出力信号とを比較する。そして，その比較結果により，上記センサ部から演算部までの総合的な機能が正常に維持されているか否かを判断する。
【００１２】
但し，この演算部診断ステップにおける診断結果が正常であっても，これだけで，上記Ａ／Ｔ検査装置の振動又は騒音の測定機能が全て正常であるという判断はできない。上記センサ部診断ステップによる診断結果も正常であれば，初めて上記測定機能が全て正常であると判断することができる。
一方，上記演算部診断ステップの診断結果が正常であっても，上記センサ部診断ステップの診断結果が異常であれば，演算部のどこかに異常があると判断することができる。
【００１３】
このように，本発明の診断方法を用いれば，上記模擬信号を用いて，上記センサ部診断ステップと，演算部診断ステップとを両方行うことにより，信号の入口部分と，入口から出口までの全体の両方を診断することができ，Ａ／Ｔ検査装置の振動又は騒音の測定機能を総合的に診断することができる。
【００１４】
第２の発明は，回転駆動手段によって被測定物としてのＡ／Ｔを回転させ，該被測定物から生じる振動又は騒音を採取して振動波形又は音圧波形の採取信号として出力するセンサ部と，該センサ部から受けた上記採取信号に演算処理を加えて所望の形態の出力信号を出力する演算部とを有するＡ／Ｔ検査装置における，振動又は騒音の測定機能を診断する診断システムであって，
擬似的な振動又は騒音である疑似信号を発する疑似出力装置と，該疑似出力装置及び上記Ａ／Ｔ検査装置に電気的に接続された診断用コンピュータとを有してなり，
該診断用コンピュータは，上記疑似出力装置から生成される上記疑似信号を採取するように配設された上記センサ部から上記演算部に送られる採取信号と同じ信号をセンサ生信号として分岐して受信可能であると共に，上記演算部からの出力信号を受信可能に構成されており，
上記センサ部から受信した上記センサ生信号と，上記疑似信号に基づく理論値であるセンサ生信号理論値とを比較して，上記センサ生信号が正常か否かを判断するセンサ部診断手段と，
上記演算部から受信した上記出力信号と，上記疑似信号に基づく理論値である出力信号理論値とを比較して，上記出力信号が正常か否かを判断する演算部診断手段とを有していることを特徴とするＡ／Ｔ検査装置の診断システムにある（請求項３）。
【００１５】
本発明の診断システムは，上記疑似出力装置と，上記診断用コンピュータとを有している。そして，上記診断用コンピュータには，上記センサ部診断手段と，上記演算部診断手段とを設けてある。これにより，上述した優れた診断方法を実現することができる。それ故，本発明の診断システムを上記Ａ／Ｔ検査装置に導入することによって，精度の高い保守を実行することができる。
【００１６】
第３の発明は，回転駆動手段によって被測定物としてのＡ／Ｔを回転させ，該被測定物から生じる振動又は騒音を採取して振動波形又は音圧波形の採取信号として出力するセンサ部と，該センサ部から受けた上記採取信号に演算処理を加えて所望の形態の出力信号を出力する演算部とを有するＡ／Ｔ検査装置を用いて行うＡ／Ｔ検査方法であって，
上記センサ部を複数用い，上記被測定物からの上記採取信号を上記演算部に入力すると共に，上記回転駆動手段から生じる振動又は騒音を採取して振動波形又は音圧波形よりなる補正用信号を上記演算部に入力し，
該演算部においては，上記採取信号から上記補正用信号の成分を除去するキャンセリング処理を行うことを特徴とするＡ／Ｔ検査方法にある（請求項７）。
【００１７】
本発明のＡ／Ｔ検査方法では，上記のごとく，上記センサ部を複数用い，上記被測定物からの上記採取信号だけでなく，上記回転駆動手段からの上記補正用信号を上記演算部に入力する。そして，上記演算部においては，上記採取信号から上記補正用信号の成分を除去するキャンセリング処理を行う。このキャンセリング処理の実施によって，従来に比べて検査精度を格段に向上させることができる。
【００１８】
即ち，上記Ａ／Ｔ検査装置における検査は，被測定物であるＡ／Ｔそのものが発する振動又は騒音を測定することが目的である。しかしながら，上記Ａ／Ｔ検査装置における上記回転駆動手段からの振動又は騒音の発生を防ぐことは困難であり，これが被測定物にも必然的に伝わる。従って，上記被測定物からの採取信号には，被測定物そのものから生じる真の振動又は騒音だけでなく，上記回転駆動手段から伝達された，いわば偽の振動又は騒音も内在している。
【００１９】
ここで，本発明の検査方法では，上記回転駆動手段からも上記補正用信号として振動又は騒音を採取し，上記演算部に入力する。そして，上記演算部において，上記採取信号から上記補正用信号の成分を除去するキャンセリング処理を行うことによって，上記採取信号から不必要な成分，つまり上記偽の振動又は騒音の少なくとも一部を取り除くことができる。それ故，上記採取信号を被測定物からの真の振動又は騒音を表す信号に近いものに補正することができ，従来よりも検査精度を向上させることができる。なお，上記キャンセリング処理としては，様々な方法をとることができる。
【００２０】
【発明の実施の形態】
上記第１の発明においては，上記Ａ／Ｔ検査装置は，所定のパターンで上記被測定物の回転数を変化させながら運転させ，上記疑似信号としては，上記被測定物の回転数が予め定めた値になるごとに予め定めた特定の疑似信号を用い，上記センサ部診断ステップ及び上記演算部診断ステップにおける上記センサ生信号理論値及び上記出力信号理論値としては，上記回転数に応じて予め定めた特定の値を用いることが好ましい（請求項２）。
【００２１】
Ａ／Ｔから出る騒音又は振動は，その回転数によって変化する。そのため，上記Ａ／Ｔ検査装置においては，被測定物であるＡ／Ｔの回転数を変化させて検査することが有効である。そして，この被測定物の回転数が変化して入力信号が変化しても正常に検査できるか否かを診断するには，上記のごとく，所定のパターンで被測定物の回転数を変化させて診断を行うことが好ましい。
【００２２】
即ち，上記のごとく，上記疑似信号については，被測定物の回転数に応じて変化させ，かつ，各々の疑似信号に対応する上記センサ生信号理論値及び出力信号理論値を予め定めておく。なお，上記センサ生信号理論値及び上記出力信号理論値を予め定める方法としては，回転数に対する各理論値をテーブルとして記憶しておく方法もあるし，所定の演算式を予め定めておいてその都度計算して求める方法もある。
【００２３】
そして，上記被測定物の回転数にトラッキングさせながら，上記疑似信号を変化させ，上記センサ生信号理論値及び出力信号理論値も変化させる。これによって，被測定物の回転数が変化して，入力される信号が異なるレベル，異なる形態の信号となっても正常に測定できているか等のきめ細かい診断を行うことができ，より正確な診断を実施することができる。
【００２４】
上記第２の発明においては，上記Ａ／Ｔ検査装置は，所定のパターンで上記被測定物の回転数を変化させながら運転するよう構成されており，上記疑似出力装置および上記診断用コンピュータは，それぞれ上記Ａ／Ｔ検査装置における上記被測定物の回転数を受信可能に構成されており，上記疑似出力装置は，受信した上記回転数に応じて予め定めた疑似信号を発するように構成されており，上記診断用コンピュータは，上記センサ生信号理論値及び上記出力信号理論値として，受信した上記回転数が予め定めた特定の値になるごとに予め定めた特定の値を用いて，それぞれ上記センサ部診断手段及び上記演算部診断手段を実行するように構成されていることが好ましい（請求項４）。これにより，上述した被測定物の回転数に応じたきめ細かい診断ができ，診断精度を高めることができる。
【００２５】
また，上記診断用コンピュータは，上記Ａ／Ｔ検査装置および上記疑似出力装置に診断を開始する開始信号を発信する開始信号発振手段を有しており，上記Ａ／Ｔ検査装置は，上記診断用コンピュータからの上記開始信号を受信した後に，所定パターンで上記被測定物の回転数の変更を開始するよう構成されており，上記疑似出力装置は，上記診断用コンピュータからの上記開始信号を受信した後に，上記回転数の変化に応じて予め定めたパターンで上記疑似信号を変更して発するように構成されていることが好ましい（請求項５）。この場合には，上記診断用コンピュータを操作することによって診断を開始することができ，診断作業を容易に管理することができる。
【００２６】
また，上記演算部は，上記センサ部から受けた上記採取信号の周波数分析を行うＦＦＴアナライザと，該ＦＦＴアナライザの分析結果をそのまま又は演算処理して出力する処理コンピュータとを有する構成にすることができる（請求項６）。上記ＦＦＴアナライザとしては，複数の処理チャンネルを持っていることが好ましい。また，上記処理コンピュータとしては，１台だけで構成することもできるし，複数のコンピュータを組み合わせて構成することもできる。
【００２７】
【実施例】
実施例１
本発明の実施例に係るＡ／Ｔ検査装置の診断システム及び診断方法につき，図１〜図３を用いて説明する。
本例のＡ／Ｔ検査装置の診断システム１は，図１に示すごとく，回転駆動手段８１１〜８１６によって被測定物８０としてのＡ／Ｔを回転させ，該被測定物８０から生じる振動又は騒音を採取して振動波形又は音圧波形の採取信号Ｄ１として出力するセンサ部７１と，該センサ部７１から受けた上記採取信号Ｄ１に演算処理を加えて所望の形態の出力信号Ｄ２を出力する演算部７２とを有するＡ／Ｔ検査装置７における，振動又は騒音の測定機能を診断する診断システムである。
【００２８】
上記Ａ／Ｔ検査装置７をさらに詳説すると，Ａ／Ｔ検査装置７は，Ａ／Ｔである被測定物８０を駆動する機械系８と，これを制御する制御装置７０と，制御装置７０に接続された上記演算部７２及び該演算部７２に接続されたセンサ部７１とを有している。機械系８は，同図に示すごとく，駆動モータ８１１，吸収モータ８１３，８１５及びこれらを被測定物８０に接続する軸体８１２，８１４，８１６とを有してなる。これら駆動モータ及び軸体８１１〜８１６を含む部分が回転駆動装置として機能する。
【００２９】
また，上記機械系８に接続された制御装置７０は，所定のパターンで上記被測定物８０の回転数を変化させるように上記駆動モータ８１１を制御するように構成され，さらに，被測定物８０の回転数データＤ８を採取し，上記演算部７２にそれを伝達できるようになっている。また，制御装置７０は，採取した回転数８を，後述する診断システム１の疑似出力装置１１及び診断用コンピュータ１２にも伝達できるように構成されている。
【００３０】
また，上記センサ部７１としては，本例では，マイクを用い，騒音を採取できるようにした。なお，このセンサ部７１としては，複数接続可能であり，上記演算部７２は，複数の処理チャンネルそれぞれについて併行して演算可能に構成されている。本例では１チャンネルだけを用いる例を示す。また，このセンサ部７１は，本来は，被測定物８０にセットさせるが，診断システム１を使用する場合には，上記疑似出力装置１１にセットする。
【００３１】
また，上記演算部７２は，同図に示すごとく，センサ部７１から受けた上記採取信号Ｄ１の周波数分析を行うＦＦＴアナライザ７２１と，該ＦＦＴアナライザ７２１の分析結果をそのまま又は演算処理して出力する処理コンピュータ７２２とを有している。なお，上記処理コンピュータ７２２としては，一つのコンピュータで構成しても良いし，複数のコンピュータを組み合わせて構成しても勿論良い。
【００３２】
また，上記Ａ／Ｔ検査装置７は，制御装置７０の指示によって，所定のパターンで上記被測定物８０の回転数を変化させながら運転するように構成されている。なお，回転数変化のパターン等の詳細については後述する。
【００３３】
次に，本例の診断システム１は，図１に示すごとく，擬似的な振動又は騒音である疑似信号を発する疑似出力装置１１と，該疑似出力装置１１及び上記Ａ／Ｔ検査装置７に電気的に接続された診断用コンピュータ１２とを有してなる。
診断用コンピュータ１２は，疑似出力装置１１から生成される疑似信号を採取するように配設された上記センサ部７１から演算部７２に送られる採取信号Ｄ１と同じ信号をセンサ生信号Ｄ０として分岐して受信可能であると共に，上記演算部７２からの出力信号Ｄ２を受信可能に構成されている。
【００３４】
また，診断用コンピュータ１２は，センサ部７１から受信した上記センサ生信号Ｄ０と，上記疑似信号に基づく理論値であるセンサ生信号理論値とを比較して，上記センサ生信号Ｄ０が正常か否かを判断するセンサ部診断手段を有している。
さらに，診断用コンピュータ１２は，演算部７２から受信した出力信号Ｄ２と，上記疑似信号に基づく理論値である出力信号理論値とを比較して，出力信号Ｄ２が正常か否かを判断する演算部診断手段を有している。
【００３５】
また，疑似出力装置１１および診断用コンピュータ１２は，それぞれ上記Ａ／Ｔ検査装置７における被測定物８０の回転数データＤ８を受信可能に構成されている。
そして，疑似出力装置１１は，受信した回転数データＤ８が予め定めた特定の値になるごとに予め定めた疑似信号を発するように構成されている。
また，診断用コンピュータ１２は，上記センサ生信号理論値及び上記出力信号理論値として，受信した回転数データＤ８が予め定めた特定の値になるごとに予め定めた特定の値を用いて，それぞれ上記センサ部診断手段及び上記演算部診断手段を実行するように構成されている。
【００３６】
また，診断用コンピュータ１２は，Ａ／Ｔ検査装置７および疑似出力装置１１に診断を開始する開始信号Ｄ９を発信する開始信号発振手段を有している。
そして，上述したごとく，Ａ／Ｔ検査装置７は，予め定められたパターンで被測定物８０の回転数を変更可能で有ると共に，診断用コンピュータ１１からの開始信号Ｄ９を受信した後に，所定パターンで被測定物８０の回転数の変更を開始するよう構成されている。
【００３７】
疑似出力装置１１は，診断用コンピュータ１２からの開始信号Ｄ９を受信した後に，回転数データＤ８の変化に応じて予め定めたパターンで疑似信号を変更して発するように構成されている。
また，診断用コンピュータ１２は，開始信号Ｄ９を発信した後に，回転数データＤ８の変化に応じて予め定めたデータテーブルから選んで上記センサ生信号理論値及び上記出力信号理論値を変更し，これらを用いて上記センサ部診断手段および上記演算部診断手段を実行するように構成されている。
【００３８】
次に，上記Ａ／Ｔ検査装置７の運転パターン，つまり被測定物８０の回転数変化パターンを図２に示す。同図は，横軸に時間を，縦軸に回転数をとった説明図である。同図から知られるように，Ａ／Ｔ検査装置７における被測定物８０の回転数は，最低測定回転数（５０ｒｐｍ）から最高測定回転数（１４００ｒｐｍ）までＴ１秒（２２．５秒）かけてリニアに加速させ，その後Ｔ２秒間（５秒間）最高測定回転数を維持した後，最高測定回転数から最低測定回転数まで再びＴ３秒（２２．５秒）かけてリニアに減速させるパターンとし，これを３回連続して行うようにした。
【００３９】
そして，同図に示すごとく，上記回転数パターンに対応する４つのポイントＰ１〜Ｐ４を測定ポイントとして定めた。具体的には，第１測定ポイントＰ１は，加速段階における５００ｒｐｍ，第２測定ポイントＰ２は，加速段階における１２００ｒｐｍ，第３測定ポイントＰ３は，減速段階における１２００ｒｐｍ，第４測定ポイントＰ４は，減速段階における５００ｒｐｍとした。
【００４０】
そして，上記疑似出力装置１１は，採取した回転数データＤ８が，上記測定ポイントＰ１〜Ｐ４またはその近傍になるタイミングに応じてそれぞれのアクションを起こすように構成した。
即ち，疑似出力装置１１は，表１に示すごとく，パターン１〜２４の２４種類の疑似信号を発することができるように構成されている。そして，疑似出力装置１１は，受け取った回転数データＤ８が各測定ポイントＰ１〜Ｐ４に達するたびに，表１に示した疑似信号パターン１〜２４のうち４つの疑似信号を所定間隔で順次発する。
【００４１】
【表１】
2004279034.tif 000003
【００４２】
【表２】
2004279034.tif 000004
【００４３】
具体的には，図２に示すごとく，まず回転数を加速させ回転数データＤ８が４５０ｒｐｍから５５０ｒｐｍの間に，表１のパターンＮｏ．１の６３３．３Ｈｚの疑似信号を発する。その時のチェックポイントが図２のＰ１となり，理論値どおりであるのか比較確認がなされる。
その後間隔をあけて，回転数データＤ８が１１５０ｒｐｍから１２５０ｒｐｍの間に，表１のパターンＮｏ．４の１２６６．７Ｈｚの疑似信号を発する。その時のチェックポイントが図２のＰ２となり理論値どおりであるのか比較確認がなされる。
【００４４】
更に，Ｔ２秒間（設定は自由）一定回転としたのち減速運転に移行する。回転数データＤ８が１２５０ｒｐｍから１１５０ｒｐｍの間に表１のパターンＮｏ．７の１２９６．８Ｈｚの疑似信号を発する。その時のチェックポイントが図２のＰ３となり理論値どおりであるか比較確認がなされる。
その後間隔をあけて，回転数データＤ８が５５０ｒｐｍから４５０ｒｐｍの間に，表１のパターンＮｏ．１０の２５９３．７Ｈｚの疑似信号を発する。その時のチェックポイントが図２のＰ４となり理論値どおりであるのか比較確認がなされる。
以上が運転パターン図２における動作である。表２のチェック番号で説明すると，１→２→３→４の順にチェックされる。
【００４５】
次に，同様にして回転数データＤ８が４５０ｒｐｍから５５０ｒｐｍの間に，表１のパターンＮｏ．２の６３３．３Ｈｚの疑似信号を発する。その時のチェックポイントが図２のＰ１となり理論値どおりであるか比較確認がなされる。
その後間隔をあけて，回転数データＤ８が１１５０ｒｐｍから１２５０ｒｐｍの間に，表１のパターンＮｏ．５の１２６６．７Ｈｚの疑似信号を発する。その時のチェックポイントが図２のＰ２となり理論値どおりであるのか比較確認がなされる。
【００４６】
更に，Ｔ２秒間（設定は自由）一定回転としたのち減速運転に移行する。回転数データＤ８が１２５０ｒｐｍから１１５０ｒｐｍの間に表１のパターンＮｏ．８の１２９６．８Ｈｚの疑似信号を発する。その時のチェックポイントが図２のＰ３となり理論値どおりであるか比較確認がなされる。
その後間隔をあけて，回転数データＤ８が５５０ｒｐｍから４５０ｒｐｍの間に，表１のパターンＮｏ．１１の２５９３．７Ｈｚの疑似信号を発する。その時のチェックポイントが図２のＰ４となり理論値どおりであるのか比較確認がなされる。
以上が表２のチェック番号では，５→６→７→８に当たる。
【００４７】
次に，同様にして回転数データＤ８が４５０ｒｐｍから５５０ｒｐｍの間に，表１のパターンＮｏ．３の６３３．３Ｈｚの疑似信号を発する。その時のチェックポイントが図２のＰ１となり理論値どおりであるか比較確認がなされる。
その後間隔をあけて，回転数データＤ８が１１５０ｒｐｍから１２５０ｒｐｍの間に，表１のパターンＮｏ．６の１２６６．７Ｈｚの疑似信号を発する。その時のチェックポイントが図２のＰ２となり理論値どおりであるのか比較確認がなされる。
【００４８】
更に，Ｔ２秒間（設定は自由）一定回転としたのち減速運転に移行する。回転数データＤ８が１２５０ｒｐｍから１１５０ｒｐｍの間に表１のパターンＮｏ．９の１２９６．８Ｈｚの疑似信号を発する。その時のチェックポイントが図２のＰ３となり理論値どおりであるか比較確認がなされる。
その後間隔をあけて，回転数データＤ８が５５０ｒｐｍから４５０ｒｐｍの間に，表１のパターンＮｏ．１２の２５９３．７Ｈｚの疑似信号を発する。その時のチェックポイントが図２のＰ４となり理論値どおりであるのか比較確認がなされる。
以上が表２のチェック番号では，９→１０→１１→１２に当たる。
【００４９】
次に，同様にして周波数を変えた方法で同様のチェックを実施する。表２チェック番号では１３→１４→１５→１６と１７→１８→１９→２０と２１→２２→２３→２４に当たる。
【００５０】
また，上記Ａ／Ｔ検査装置７の演算部７２と，診断システム１の診断用コンピュータ１２とは，上記疑似出力装置１１が疑似信号を発するごとにそれぞれの機能を果たす。つまり，上記演算部７２は，疑似信号を受けた上記センサ部７１からの採取信号Ｄ１を受け取るたびに，これを演算し，そのときの回転数データＤ８と共に出力信号Ｄ２を診断用コンピュータ１２に送る。また，診断用コンピュータ１２は，センサ部７１からセンサ生信号Ｄ０を受け取るたびに，そのときの回転数データＤ８に対応するセンサ生信号理論値を導いて，これらを比較してセンサ生信号Ｄ０が正常か否かを判断するセンサ部診断ステップを行う。さらに診断用コンピュータ１２は，演算部７２から受け取った出力信号Ｄ２を受け取るたびに，そのときの回転数データＤ８に対応する出力信号理論値を導いて，これらを比較して出力信号Ｄ２が正常か否かを判断する演算部診断ステップを行う。
【００５１】
この作業を，上述したチェック番号１〜２４まで繰り返し行い，その結果を上記診断用コンピュータ１２が記憶し，最終的に合否判定を出力する。なお，本例では，各チェック番号の診断ごとに上記センサ部診断ステップ及び演算部診断ステップを行い，両方が合格の場合に，そのチェック番号の診断結果を合格と認定する。そして，チェック番号１〜２４のすべての診断結果が合格の場合に，総合判定を合格とする。
【００５２】
診断結果の出力画面Ｇ１の一例を図３に示す。
同図に示すごとく，まず，出力画面Ｇ１には，チェック番号選択欄Ｇ１１，チャンネル番号選択欄Ｇ１２とがある。これらは，現在出力しているチェック番号群（図３では１〜３）と，診断した演算部７２のチャンネル番号（図３ではＣＨ１（チャンネル１））とを示すものである。
【００５３】
また，チェック番号選択欄Ｇ１１，チャンネル番号選択欄Ｇ１２の下方には，チェック番号ごとに個別の診断データ及び診断結果を示す欄がある。具体的には，チェック番号表示欄Ｇ２１〜２３，入力信号波形表示欄Ｇ３１１〜Ｇ３１３，入力信号電圧表示欄Ｇ３２１〜Ｇ３２３，入力信号周波数表示欄Ｇ３３１〜３３３がある。さらに，出力信号波形表示欄Ｇ４１１〜Ｇ４１３，出力信号電圧表示欄Ｇ４２１〜Ｇ４２３，回転数表示欄Ｇ４３１〜４３３がある。さらに，その右端の位置には，各チェック番号診断結果Ｇ４５１〜Ｇ４５３がある。そして，最上段の右端には，総合判定結果表示欄Ｇ６がある。
【００５４】
この出力画面Ｇ１を見れば，まず，最上段の総合判定結果表示欄Ｇ６の表示によって合否判定が一目で確認できる。また，どのチェック番号での診断で不合格になったかということを確認する際には，チェック番号選択欄Ｇ１１に対応するファンクションキー等を操作することによって，表示させる個別の診断データ及び診断結果を切り替えることにより行うことができる。また，各チャンネルごとの診断確認はチャンネル番号選択欄Ｇ１２に対応するファンクションキー等を操作することにより行なう。
【００５５】
このように，本例においては，各チェック番号ごとに，模擬信号を用いて上記センサ部診断ステップと，演算部診断ステップとを行う。これにより，上記Ａ／Ｔ検査装置７におけるデータの流れの入口部分の診断及び入口から出口までの全体の診断の両方を行うことができる。そのため，総合的で非常に有意義な診断結果を得ることができる。そして，この診断を上記のごとく，複数のチェック番号ごとに念入りに行い，全てのチェック番号において正常である場合にはじめて総合的に合格であると診断する。そのため，上記Ａ／Ｔ検査装置７の振動又は騒音の測定機能を総合的に，かつ，非常に高い精度で診断することができる。
【００５６】
実施例２
本例は，Ａ／Ｔ検査装置の検査精度を向上させるＡ／Ｔ検査方法に関するものである。
本例で用いるＡ／Ｔ検査装置７は，実施例１における診断システムを除いた部分と同様の構成を有している（図１参照）。
即ち，Ａ／Ｔ検査装置７は，回転駆動手段８１１〜８１６によって被測定物８０としてのＡ／Ｔを回転させ，被測定物８０から生じる振動又は騒音を採取して振動波形又は音圧波形の採取信号として出力するセンサ部７１と，センサ部７１から受けた採取信号Ｄ１に演算処理を加えて所望の形態の出力信号を出力する演算部７２とを有する（図１参照）。
【００５７】
そして，本例のＡ／Ｔ検査方法は，上記センサ部７１を複数用い，被測定物８０からの採取信号を上記演算部７２に入力すると共に，上記回転駆動手段から生じる振動又は騒音を採取して振動波形又は音圧波形よりなる補正用信号を上記演算部に入力し，演算部７２においては，上記採取信号から上記補正用信号の成分を除去するキャンセリング処理を行う。
【００５８】
より具体的には，図４に示すごとく，本例では，被測定物８０における測定点Ｘ以外に，４点の測定点Ａ〜Ｄを設け，それぞれに上記センサ部７１を配置した。そして，測定点Ｘから採取した信号を採取信号Ｘとし，測定点Ａ〜Ｄから採取した信号を補正用信号Ａ〜Ｄとした。
【００５９】
そして，演算部７２においては，上記採取信号Ｘから上記補正用信号Ａ〜Ｄの成分を除去するキャンセリング処理を行う。このキャンセリング処理としては，様々な方法をとることができるが，本例では，Ｘ−（αＡ＋βＢ＋γＣ＋δＤ），α，β，γ，δは定数，という演算方法によって行った。
【００６０】
キャンセリング処理結果の一例を図５に示す。同図の最上段には採取信号Ｘの波形を，中断には補正用信号Ａの波形を，最下段には補正後の信号の波形を示してある。なお，各波形は，横軸が周波数，縦軸がｄＢ値である。同図より知られるごとく，採取信号Ｘには，大きな２つのピークａ，ｂが現れている。一方，補正用信号Ａにもピークａが現れている。この成分は，明らかに測定点Ａから得られるいわゆる偽の成分であると言える。キャンセリング処理後（補正後）信号においては，採取信号Ｘからピークａの部分が除かれて，ピークｂを有する信号となる。なお，補正用信号Ｂ〜Ｄにおいても同様に処理され，採取信号Ｘからは，いわゆる偽の成分が除かれて，真の値に近いものとなる。
【００６１】
このように，本例においては，演算部７２において，採取信号Ｘから補正用信号Ａ〜Ｄの成分を除去するキャンセリング処理を行うことによって，採取信号Ｘから不必要な成分，つまり偽の振動又は騒音の少なくとも一部を取り除くことができる。それ故，採取信号Ｘを被測定物８０からの真の振動又は騒音を表す信号に近いものに補正することができ，従来よりも検査精度を向上させることができる。
【図面の簡単な説明】
【図１】実施例１における，Ａ／Ｔ検査装置の診断システムの構成を示す説明図。
【図２】実施例１における，Ａ／Ｔ検査装置の回転数変更パターンを示す説明図。
【図３】実施例１における，診断結果を示す画面出力例を示す説明図。
【図４】実施例２における，Ａ／Ｔ検査装置の構成を示す説明図。
【図５】実施例２における，キャンセリング処理例を示す説明図。
【符号の説明】
１．．．Ａ／Ｔ検査装置の診断システム，
１１．．．疑似出力装置，
１２．．．診断用コンピュータ，
７．．．Ａ／Ｔ検査装置，
７１．．．センサ部，
７２．．．演算部，
８．．．機械系，
【図１】
2004279034.tif 000005
【図２】
2004279034.tif 000006
【図３】
2004279034.tif 000007
【図４】
2004279034.tif 000008
【図５】
2004279034.tif 000009